(57)【要約】【課題】パーソナライズされたコンテンツ関連情報を、様々なタイミングで提供すること。【解決手段】コンテンツ再生システムは、ＶＲコンテンツを再生するコンテンツ再生部、を備える、コンテンツ再生装置と、前記ＶＲコンテンツの再生状況に合わせて、前記ＶＲコンテンツに関連する情報であるコンテンツ関連情報を、前記ＶＲコンテンツを視聴する視聴者の属性情報に応じて出力する出力部、を備える、コンテンツ関連情報再生装置と、を有する。【選択図】図２
2017005287.tif 000002
【特許請求の範囲】
【請求項１】
ＶＲコンテンツを再生するコンテンツ再生部、
を備える、コンテンツ再生装置と、
前記ＶＲコンテンツの再生状況に合わせて、前記ＶＲコンテンツに関連する情報であるコンテンツ関連情報を、前記ＶＲコンテンツを視聴する視聴者の属性情報に応じて出力する出力部、
を備える、コンテンツ関連情報再生装置と、
を有することを特徴とする、コンテンツ再生システム。
【請求項２】
前記コンテンツ関連情報再生装置は、前記ＶＲコンテンツを視聴する前記視聴者の前記属性情報を取得する操作入力部を備える、
ことを特徴とする、請求項１に記載のコンテンツ再生システム。
【請求項３】
前記再生状況は、前記ＶＲコンテンツに含まれる映像の中の特定の部分が、前記コンテンツ再生部によって表示されたことを示す前記再生状況である
ことを特徴とする、請求項１に記載のコンテンツ再生システム。
【請求項４】
ＶＲコンテンツを再生するコンテンツ再生ステップと、
前記ＶＲコンテンツの再生状況に合わせて、前記ＶＲコンテンツに関連する情報であるコンテンツ関連情報を、前記ＶＲコンテンツを視聴する視聴者の属性情報に応じて出力する出力ステップと、
を有することを特徴とする、コンテンツ再生方法。
【請求項５】
コンピュータに、
ＶＲコンテンツを再生するコンテンツ再生ステップと、
前記ＶＲコンテンツの再生状況に合わせて、前記ＶＲコンテンツに関連する情報であるコンテンツ関連情報を、前記ＶＲコンテンツを視聴する視聴者の属性情報に応じて出力する出力ステップと、
を実行させるための、プログラム。
【発明の詳細な説明】
【技術分野】
【０００１】
本発明は、コンテンツ再生システム、コンテンツ再生方法、及びプログラムに関する。
【背景技術】
【０００２】
従来、配信される動画コンテンツと共に、その動画コンテンツの関連情報を任意の言語で表される字幕によって配信する多言語対応型の動画配信システムがある。例えば、特許文献１に記載の多言語対応型動画配信システムは、動画再生の経過時間と字幕テキストとの対応関係が記述された同期制御ファイルを備える。これにより、多言語対応型動画配信システムは、動画再生の経過時間にしたがって、対応するテキストデータをクライアント端末へ送出することにより、動画の各フレームと字幕テキストとの同期を取る。
【先行技術文献】
【特許文献】
【０００３】
【特許文献１】特開２００４−２１５１２６号公報
【発明の概要】
【発明が解決しようとする課題】
【０００４】
ところで、ＶＲ（Ｖｉｒｔｕａｌ  Ｒｅａｌｉｔｙ；仮想現実）の技術を用いて製作されるＶＲコンテンツ等の対話性（双方向性）のあるコンテンツを再生する場合、コンテンツ再生システムには、動画再生の経過時間に基づくタイミングだけでなく、様々なタイミングでＶＲコンテンツの関連情報を提供することが求められる。様々なタイミングとは、ＶＲコンテンツのシーン（場面）が切り替わったタイミング、ナビゲータ（司会者）により操作入力がなされたタイミング、及びＶＲコンテンツの視聴者により操作入力がなされたタイミング、等である。また、ＶＲコンテンツの各視聴者が欲するＶＲコンテンツの関連情報は、それぞれ異なる場合がある。
【０００５】
しかしながら、特許文献１に記載の多言語対応型動画配信システムが字幕テキストを配信するタイミングは、動画再生の経過時間に基づくタイミングに限られる。また、特許文献１に記載の多言語対応型動画配信システムにおいては、各クライアント端末毎に字幕テキストの言語を変えることはできるが、字幕テキストの内容そのものは共通している。すなわち、特許文献１に記載の多言語対応型動画配信システムでは、様々なタイミングで、それぞれの視聴者に合わせた異なる内容のＶＲコンテンツの関連情報を、柔軟に提供することができないという課題がある。
【０００６】
本発明は上記の点に鑑みてなされたものであり、ＶＲコンテンツを視聴する各視聴者に対し、パーソナライズされたコンテンツ関連情報、及びパーソナライズされた空間を、様々なタイミングで提供することができるコンテンツ再生システム、コンテンツ再生方法、及びプログラムを提供する。
【課題を解決するための手段】
【０００７】
（１）本発明は上記の課題を解決するためになされたものであり、本発明の一態様としては、ＶＲコンテンツを再生するコンテンツ再生部、を備える、コンテンツ再生装置と、前記ＶＲコンテンツの再生状況に合わせて、前記ＶＲコンテンツに関連する情報であるコンテンツ関連情報を、前記ＶＲコンテンツを視聴する視聴者の属性情報に応じて出力する出力部、を備える、コンテンツ関連情報再生装置と、を有することを特徴とする、コンテンツ再生システムである。
【０００８】
（２）また、本発明の一態様としては、前記コンテンツ関連情報再生装置は、前記ＶＲコンテンツを視聴する前記視聴者の前記属性情報を取得する操作入力部を備える、ことを特徴とする、（１）に記載のコンテンツ再生システムである。
【０００９】
（３）また、本発明の一態様としては、前記再生状況は、前記ＶＲコンテンツに含まれる映像の中の特定の部分が、前記コンテンツ再生部によって表示されたことを示す前記再生状況であることを特徴とする、（１）に記載のコンテンツ再生システムである。
【００１０】
（４）また、本発明の一態様としては、ＶＲコンテンツを再生するコンテンツ再生ステップと、前記ＶＲコンテンツの再生状況に合わせて、前記ＶＲコンテンツに関連する情報であるコンテンツ関連情報を、前記ＶＲコンテンツを視聴する視聴者の属性情報に応じて出力する出力ステップと、を有することを特徴とする、コンテンツ再生方法である。
【００１１】
（５）また、本発明の一態様としては、コンピュータに、ＶＲコンテンツを再生するコンテンツ再生ステップと、前記ＶＲコンテンツの再生状況に合わせて、前記ＶＲコンテンツに関連する情報であるコンテンツ関連情報を、前記ＶＲコンテンツを視聴する視聴者の属性情報に応じて出力する出力ステップと、を実行させるための、プログラムである。
【発明の効果】
【００１２】
本発明によれば、ＶＲコンテンツを視聴する各視聴者に対し、パーソナライズされたコンテンツ関連情報、及びパーソナライズされた空間を、様々なタイミングで提供することができる。
【図面の簡単な説明】
【００１３】
【図１】本発明の実施形態に係るコンテンツ再生システムの構成の一例を示す概略図である。
【図２】本発明の実施形態に係るコンテンツ再生システムの機能構成の一例を示すブロック図である。
【図３】本発明の実施形態に係るコンテンツ再生装置が送信するタイミング信号の一例を示す概略図である。
【図４】本発明の実施形態に係るコンテンツ関連情報記憶部が記憶するコンテンツ関連情報データベースの一例を示す概略図である。
【図５】本発明の実施形態に係るパーソナル情報記憶部が記憶するパーソナル情報データベースの一例を示す概略図である。
【図６】本発明の実施形態に係るコンテンツ再生システムの動作の一例を示すフローチャートである。
【発明を実施するための形態】
【００１４】
以下、本発明の実施形態について、図面を参照しながら説明する。
（実施形態）
図１は、本発明の実施形態に係るコンテンツ再生システム１の構成の一例を示す概略図である。
図１に例示するコンテンツ再生システム１は、例えば、ＶＲ技術を用いたコンテンツ（ＶＲコンテンツ）を再生するＶＲシアターに用いることができる。ＶＲシアターは、複数の視聴者をＶＲシアターの会場に収容することができる。ＶＲシアターでは、ナビゲータが、視聴者との対話に応じて、次に再生するＶＲコンテンツをその場で選択し、任意のタイミングでそのコンテンツを再生させることができる。そして、ＶＲシアターでは、ナビゲータによる操作入力によって再生されるＶＲコンテンツを、ＶＲシアター内の視聴者全員で視聴することができる。
【００１５】
実施形態に係るコンテンツ再生システム１は、ＶＲコンテンツ、及びそのＶＲコンテンツに関連する情報であるコンテンツ関連情報、を視聴者へ提供する。コンテンツ関連情報とは、例えば、ＶＲコンテンツの映像に写っている建物の歴史について任意の言語で説明する字幕テキストや、ＶＲコンテンツの映像に写っている物体の一部を拡大した画像や別の角度から撮影した画像、等である。
【００１６】
また、コンテンツ再生システム１は、各視聴者の属性情報（例えば、使用言語、年齢区分、及び性別等）に基づいて選択したコンテンツ関連情報をそれぞれの視聴者へ提供したり、各視聴者からの操作入力によって選択されたコンテンツ関連情報をそれぞれの視聴者へ提供したりすることができる。
【００１７】
図１に図示するように、コンテンツ再生システム１は、コンテンツ再生装置１０と、コンテンツ関連情報配信装置２０と、複数のコンテンツ関連情報再生装置３０（３０−１、３０−２、・・・、３０−ｎ）と、を含んで構成される。
【００１８】
コンテンツ再生装置１０は、コンテンツ（例えば、ＶＲコンテンツ）を再生する装置である。コンテンツ再生装置１０は、例えば、ＶＲシアターの会場内に設置され、複数の視聴者が共有して視聴可能な大型ディスプレイ等の表示画面や高出力のスピーカーを備える。  
コンテンツ再生装置１０は、自らのコンテンツ再生装置１０が備える表示画面やスピーカーに出力することによって、ＶＲコンテンツを視聴者へ提供する。また、コンテンツ再生装置１０は、例えば、ナビゲータによる操作に応じて、再生するＶＲコンテンツの内容を変化させることができる。再生するＶＲコンテンツの内容を変化させることとは、例えば、ＶＲコンテンツの映像に含まれる画像を上下左右にスクロールして表示させることや、予め用意された複数のＶＲコンテンツの中から選択してＶＲコンテンツを再生させること、等である。
【００１９】
コンテンツ再生装置１０は、コンテンツ関連情報配信装置２０との通信を行うことができる。
コンテンツ再生装置１０は、ＶＲコンテンツの再生状況（例えば、映像の表示状態）に応じたタイミングで、信号（以下、タイミング信号という）をコンテンツ関連情報配信装置２０へ出力する。タイミング信号は、例えば、ＶＲコンテンツを構成するシーン（場面）が切り替わるタイミングで出力される。
【００２０】
また、コンテンツ再生装置１０は、ナビゲータから操作入力が行われたタイミングで、タイミング信号をコンテンツ関連情報配信装置２０へ出力する。タイミング信号は、例えば、コンテンツ再生装置１０の表示画面に表示されている映像が、ナビゲータによる操作によってスクロールして表示され、画像の特定の部分（ＶＲコンテンツに含まれる映像の中の特定の部分）が表示画面の中央に位置したタイミングで、コンテンツ関連情報配信装置２０へ出力される。
【００２１】
コンテンツ関連情報配信装置２０は、コンテンツ関連情報を予め記憶し、コンテンツ関連情報再生装置３０（３０−１、３０−２、・・・、３０−ｎ）へコンテンツ関連情報を配信する装置である。例えば、コンテンツ関連情報配信装置２０は、パーソナルコンピュータ等の情報処理装置によって構成される。
コンテンツ関連情報配信装置２０は、コンテンツ再生装置１０からタイミング信号を取得した場合、そのタイミング信号に予め対応づけられたコンテンツ関連情報を示すデータを、コンテンツ関連情報再生装置３０（３０−１、３０−２、・・・、３０−ｎ）へ出力する。
【００２２】
また、１つのタイミング信号に対して、複数のコンテンツ関連情報が紐づけられていることがある。例えば、複数の言語によって表されたコンテンツ関連情報、子供向けの簡易な用語のみで表されたコンテンツ関連情報、等の、異なる表現で表された複数のコンテンツ関連情報が、１つのタイミング信号に紐づけられている。
コンテンツ関連情報配信装置２０は、１つのタイミング信号に紐付られた複数のコンテンツ関連情報の中から、各視聴者の属性情報（例えば、使用言語、年齢区分、及び性別等）に基づいて、各コンテンツ関連情報再生装置３０（３０−１、３０−２、・・・、３０−ｎ）へ出力するコンテンツ関連情報を決定する。または、コンテンツ関連情報配信装置２０は、各視聴者からの操作入力に基づいて、各コンテンツ関連情報再生装置３０（３０−１、３０−２、・・・、３０−ｎ）へ出力するコンテンツ関連情報を決定する。
【００２３】
コンテンツ関連情報再生装置３０（３０−１、３０−２、・・・、３０−ｎ）は、コンテンツ関連情報を出力する出力装置である。コンテンツ関連情報再生装置３０（３０−１、３０−２、・・・、３０−ｎ）は、例えば、ＶＲシアターの各座席の背面に設置されたタッチパネル式ディスプレイを備えたタブレット端末、及び指向性スピーカー（または、ヘッドフォン）である。ＶＲコンテンツを視聴する視聴者は、前列の座席の背面に設置されたコンテンツ関連情報再生装置３０（３０−１、３０−２、・・・、３０−ｎ）を利用することによって、ＶＲコンテンツを視聴する周囲の視聴者の邪魔をすることなく、コンテンツ関連情報を視聴することができる。
【００２４】
コンテンツ関連情報再生装置３０（３０−１、３０−２、・・・、３０−ｎ）は、コンテンツ関連情報配信装置２０から取得したコンテンツ関連情報を構成する映像を、例えば、自らのコンテンツ関連情報再生装置３０（３０−１、３０−２、・・・、３０−ｎ）が備えるディスプレイによって表示する。また、コンテンツ関連情報再生装置３０（３０−１、３０−２、・・・、３０−ｎ）は、コンテンツ関連情報配信装置２０から取得したコンテンツ関連情報を構成する音声を、例えば、自らのコンテンツ関連情報再生装置３０（３０−１、３０−２、・・・、３０−ｎ）が備える指向性のスピーカーまたはヘッドフォン等によって再生する。
【００２５】
なお、コンテンツ関連情報再生装置３０（３０−１、３０−２、・・・、３０−ｎ）は、上記以外の装置、例えば、携帯型の音声再生装置、または視聴者が保有するスマートフォン等であってもかまわない。
または、コンテンツ関連情報再生装置３０（３０−１、３０−２、・・・、３０−ｎ）は、例えば、ヘッドマウントディスプレイ、スマートメガネ、及び腕時計型のコンピュータ等のウェアラブル端末でも構わない。
【００２６】
次に、コンテンツ再生システム１の機能構成について説明する。
図２は、本発明の実施形態に係るコンテンツ再生システム１の機能構成の一例を示すブロック図である。
コンテンツ再生システム１は、上述したように、コンテンツ再生装置１０と、コンテンツ関連情報配信装置２０と、コンテンツ関連情報再生装置３０（３０−１、３０−２、・・・、３０−ｎ）と、を含んで構成される。
【００２７】
なお、コンテンツ再生装置１０とコンテンツ関連情報配信装置２０とは、一体化された１つの装置である構成であっても構わない。
【００２８】
（コンテンツ再生装置の構成）
まず、コンテンツ再生装置１０の構成の一例について説明する。
実施形態に係るコンテンツ再生装置１０は、操作入力部１０１と、コンテンツ再生制御部１０２と、コンテンツ記憶部１０３と、コンテンツ再生部１０４と、タイミング信号制御部１０５と、タイミング信号記憶部１０６と、タイミング信号送信部１０７と、を含んで構成される。
【００２９】
操作入力部１０１は、ユーザ（例えば、ナビゲータ）による各種の操作入力を受け付ける。操作入力部１０１は、受け付けた各種の操作入力に基づく操作信号を、コンテンツ再生制御部１０２、またはタイミング信号制御部１０５へ出力する。
各種の操作入力に基づく操作信号とは、例えば、再生するＶＲコンテンツをナビゲータが選択するための操作入力に基づく操作信号、選択したＶＲコンテンツをナビゲータが再生させるための操作入力に基づく操作信号、コンテンツ再生部１０４に表示されたＶＲコンテンツの映像をナビゲータが上下左右にスクロールさせる操作入力に基づく操作信号、及び、特定のコンテンツ関連情報をナビゲータがコンテンツ関連情報配信装置２０に配信させるための操作入力に基づく操作信号、等である。
【００３０】
操作入力部１０１は、例えば、コンテンツ再生装置１０に備えられた操作ボタンやタッチパネル、操作用コントローラー、または、リモートコントローラーや携帯型端末から操作信号を取得することができる入力インターフェース、等を含んで構成される。
【００３１】
コンテンツ再生制御部１０２は、操作入力部１０１から取得した操作信号にしたがって、コンテンツ記憶部１０３に記憶されたＶＲコンテンツを、コンテンツ再生部１０４に再生させる。
【００３２】
コンテンツ記憶部１０３は、ＶＲコンテンツを予め記憶させておくことができる記憶媒体である。なお、本実施形態においては、コンテンツ再生装置１０がコンテンツ記憶部１０３を備える構成であるが、これに限られない。例えば、コンテンツ再生装置１０の外部の記憶媒体にＶＲコンテンツが記憶されており、コンテンツ再生装置１０が外部の記憶媒体からＶＲコンテンツを取得して、取得した映像コンテンツを再生する構成であってもよい。
【００３３】
コンテンツ記憶部１０３は、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、又はそれらの任意の組み合わせを含んで構成される。
【００３４】
コンテンツ再生部１０４は、ＶＲコンテンツを再生する。コンテンツ再生部１０４は、例えば、液晶ディスプレイ、有機ＥＬ（Ｅｌｅｃｔｒｏｌｕｍｉｎｅｓｃｅｎｃｅ）ディスプレイ、プロジェクター及びスクリーン、及びスピーカー等を含んで構成される。
【００３５】
また、コンテンツ再生制御部１０２は、コンテンツ再生部１０４が再生しているＶＲコンテンツの再生状況（例えば、映像の表示状態）を示す情報を、タイミング信号制御部１０５へ出力する。映像の表示状態を示す情報とは、例えば、コンテンツ再生部１０４が備える表示画面の中央部に現在表示されている画像の範囲を示す情報、再生するＶＲコンテンツのシーン（場面）が切り替わったことを示す情報、またはＶＲコンテンツの再生経過時間を示す情報、等である。
コンテンツ再生制御部１０２は、例えば、ＣＰＵ（Ｃｅｎｔｒａｌ  Ｐｒｏｃｅｓｓｉｎｇ  Ｕｎｉｔ；中央演算処理装置）を含んで構成される。
【００３６】
タイミング信号記憶部１０６は、タイミング信号と、タイミング信号が送信される条件と、を対応付けるタイミング信号データベースを予め記憶している。タイミング信号が送信される条件とは、例えば、ＶＲコンテンツの再生状況（例えば、映像の表示状態）、ユーザによる操作、またはＶＲコンテンツを再生する会場の状況、等に基づく条件である。
タイミング信号記憶部１０６は、例えば、ＨＤＤ、フラッシュメモリ、ＥＥＰＲＯＭ、ＲＯＭ、ＲＡＭ、又はそれらの任意の組み合わせを含んで構成される。
【００３７】
なお、タイミング信号のデータ形式は、ＶＲコンテンツの再生状況を一意に特定できるデータ形式であれば、なんでもよい。実施形態に係るコンテンツ再生システム１においては、タイミング信号を、例えば、「１０１０１」、または「３０５」等の、簡単な数字の羅列によるデータ形式で定義された信号にすることが可能である。
【００３８】
タイミング信号制御部１０５は、コンテンツ再生制御部１０２から取得したＶＲコンテンツの再生状況（例えば、映像の表示状態）を検索キーとして、タイミング信号データベースを検索する。検索した結果、タイミング信号データベースの中に、ＶＲコンテンツの再生状況を示す情報と一致するデータが存在した場合、タイミング信号制御部１０５は、そのデータに対応付けられたタイミング信号を取得する。
【００３９】
なお、ＶＲコンテンツを構成するデータそのものに、予めタイミング信号を示すデータが埋め込まれているような構成であってもよい。例えば、Ｅｌｅｃｔｒｏｎｉｃ  Ｗａｔｅｒｍａｒｋｉｎｇ（電子透かし）等の技術を用いることによって、ＶＲコンテンツの映像の画質にはほとんど影響を与えることなく、タイミング信号を示すデータを、ＶＲコンテンツのデータの中に埋め込むことができる。
その場合には、例えば、ＶＲコンテンツに含まれる画像がスクロールして表示されることによって、画像の特定の部分（ＶＲコンテンツに含まれる映像の中の特定の部分）が表示画面の中央に位置したタイミングで、コンテンツ再生制御部１０２がＶＲコンテンツのデータに埋め込まれたタイミング信号を検知する。そして、コンテンツ再生制御部１０２は、検知したタイミング信号を、タイミング信号制御部１０５へ出力する。
【００４０】
タイミング信号制御部１０５は、取得したタイミング信号をタイミング信号送信部１０７へ出力する。タイミング信号制御部１０５は、例えば、ＣＰＵ（Ｃｅｎｔｒａｌ  Ｐｒｏｃｅｓｓｉｎｇ  Ｕｎｉｔ；中央演算処理装置）によって構成される。
【００４１】
コンテンツ再生装置１０のタイミング信号送信部１０７と、コンテンツ関連情報配信装置２０のタイミング信号受信部２０２とは、有線または無線の通信ネットワークによって接続される。
タイミング信号送信部１０７は、タイミング信号制御部１０５から取得したタイミング信号を、コンテンツ関連情報配信装置２０のタイミング信号受信部２０２へ出力する。
タイミング信号送信部１０７は、例えば、ＬＡＮケーブルを介して有線ＬＡＮルーターに接続するための接続端子、またはＷｉ−Ｆｉ（登録商標）接続によって無線ＬＡＮルーターに接続するための通信インターフェースである。
【００４２】
（コンテンツ関連情報配信装置の構成）
次に、コンテンツ関連情報配信装置２０の構成の一例について説明する。
図２に示すように、実施形態に係るコンテンツ関連情報配信装置２０は、操作入力部２０１と、タイミング信号受信部２０２と、制御部２０３と、コンテンツ関連情報記憶部２０４と、パーソナル情報記憶部２０５と、通信部２０６と、を含んで構成される。
【００４３】
操作入力部２０１は、ユーザ（例えば、ナビゲータ）による各種の操作入力に基づく操作信号を受け付ける。操作入力部１０１は、例えば、キーボード、マウス、またはタッチパネル等を含んで構成される。
【００４４】
タイミング信号受信部２０２は、コンテンツ再生装置１０のタイミング信号送信部１０７から送信されたタイミング信号を受信する。タイミング信号受信部２０２は、受信したタイミング信号を、制御部２０３へ出力する。
タイミング信号受信部２０２は、例えば、ＬＡＮケーブルを介して有線ＬＡＮルーターに接続するための接続端子、またはＷｉ−Ｆｉ（登録商標）接続によって無線ＬＡＮルーターに接続するための通信装置である。
【００４５】
制御部２０３は、コンテンツ関連情報配信装置２０における各種の処理を制御する。制御部２０３は、例えば、ＣＰＵを含んで構成される。
制御部２０３は、タイミング信号受信部２０２から取得したタイミング信号を検索キーとして、コンテンツ関連情報データベースを検索する。制御部２０３は、検索キーであるタイミング信号に対応付けられたコンテンツ関連情報を示すデータを、コンテンツ関連情報記憶部２０４のコンテンツ関連情報データベースから取得する。
【００４６】
コンテンツ関連情報記憶部２０４は、タイミング信号と、コンテンツ関連情報を示すデータと、属性情報（例えば、使用言語、年齢区分、及び性別等）と、が対応付けられたコンテンツ関連情報データベースを記憶する。
コンテンツ関連情報記憶部２０４は、例えば、ＨＤＤ、フラッシュメモリ、ＥＥＰＲＯＭ、ＲＯＭ、ＲＡＭ、又はそれらの任意の組み合わせを含んで構成される。
【００４７】
パーソナル情報記憶部２０５は、コンテンツ関連情報再生装置３０（３０−１、３０−２、・・・、３０−ｎ）を一意に特定することができる識別子と、各コンテンツ関連情報再生装置３０（３０−１、３０−２、・・・、３０−ｎ）の操作入力部３０１によって視聴者から入力された当該視聴者の属性情報（例えば、使用言語、年齢区分、及び性別等）と、が対応付けられたパーソナル情報データベースを記憶する。
コンテンツ関連情報記憶部２０４は、例えば、ＨＤＤ、フラッシュメモリ、ＥＥＰＲＯＭ、ＲＯＭ、ＲＡＭ、又はそれらの任意の組み合わせを含んで構成される。
【００４８】
なお、パーソナル情報記憶部２０５は、コンテンツ関連情報配信装置２０ではなく、コンテンツ関連情報再生装置３０（３０−１、３０−２、・・・、３０−ｎ）が備える構成であっても構わない。
【００４９】
上述したように、１つのタイミング信号に対して、複数のコンテンツ関連情報が紐づけられていることがある。例えば、１つのタイミング信号に対して、各国の言語毎のコンテンツ関連情報、子供向けに簡易な言葉のみで表したコンテンツ関連情報等の、複数のコンテンツ関連情報が紐づけらていることがある。
制御部２０３は、取得したタイミング信号に紐づけられた１つまたは複数のコンテンツ関連情報を取得する。複数のコンテンツ関連情報を取得した場合、その複数のコンテンツ関連情報には、それぞれ異なる属性情報（例えば、使用言語、年齢区分、及び性別等）が紐づけられている。制御部２０３は、パーソナル情報データベースによって、各コンテンツ関連情報再生装置３０（３０−１、３０−２、・・・、３０−ｎ）から取得した属性情報（例えば、使用言語、年齢区分、及び性別等）を特定することができる。制御部２０３は、複数のコンテンツ関連情報の中から、特定した属性情報（例えば、使用言語、年齢区分、及び性別等）が紐付られたコンテンツ関連情報を取得し、通信部２０６を介して、該当するコンテンツ関連情報再生装置３０（３０−１、３０−２、・・・、３０−ｎ）へ送信する。
【００５０】
また、コンテンツ関連情報配信装置２０は、各視聴者からの操作入力に基づいて、コンテンツ関連情報をコンテンツ関連情報再生装置３０（３０−１、３０−２、・・・、３０−ｎ）へ送信することができる。
その場合、視聴者による操作入力の内容に応じた操作信号が、コンテンツ関連情報再生装置３０（３０−１、３０−２、・・・、３０−ｎ）の操作入力部３０１から、制御部３０２へ出力される。この場合の操作信号は、タイミング信号に相当する。制御部３０２は、タイミング信号を、通信部３０４を介して、コンテンツ関連情報配信装置の通信部２０６へ出力する。コンテンツ関連情報配信装置の通信部２０６は取得したタイミング信号を制御部２０３へ出力する。
【００５１】
通信部２０６は、制御部２０３から取得したコンテンツ関連情報を示すデータを、指定されたコンテンツ関連情報再生装置３０（３０−１、３０−２、・・・、３０−ｎ）へ配信する。
通信部２０６は、例えば、コンテンツ関連情報再生装置３０（３０−１、３０−２、・・・、３０−ｎ）へ、コンテンツ関連情報を示す各種のデータ（テキストデータ、画像データ、及び音声データ等）を送信するために、Ｗｉ−Ｆｉ（登録商標）接続によって無線ＬＡＮルーターを介して通信接続するための通信インターフェースである。
【００５２】
（コンテンツ関連情報再生装置の構成）
次に、コンテンツ関連情報再生装置３０（３０−１、３０−２、・・・、３０−ｎ）の構成の一例について説明する。
図２に示すように、実施形態に係るコンテンツ関連情報再生装置３０（３０−１、３０−２、・・・、３０−ｎ）は、操作入力部３０１と、制御部３０２と、出力部３０３と、通信部３０４と、を含んで構成される。
【００５３】
操作入力部３０１は、ＶＲシアターに訪れた視聴者による各種の操作入力を受け付け、その操作入力に基づく操作信号を制御部３０２へ出力する。各種の操作入力とは、例えば、視聴者が自らの属性情報（例えば、使用言語、年齢区分、及び性別等）を入力するための操作入力、ＶＲコンテンツの内容に関する更に詳しい情報を視聴者がコンテンツ関連情報再生装置３０（３０−１、３０−２、・・・、３０−ｎ）に表示させるための操作入力、及びコンテンツ再生装置１０が再生中のＶＲコンテンツの映像とは異なる角度から撮影された映像を視聴者がコンテンツ関連情報再生装置３０（３０−１、３０−２、・・・、３０−ｎ）に表示をさせるための操作入力、等である。
操作入力部１０１は、例えば、タッチパネル、操作ボタン、または、操作用コントローラー等を含んで構成される。
【００５４】
なお、それぞれのコンテンツ関連情報再生装置３０（３０−１、３０−２、・・・、３０−ｎ）は、それぞれの視聴者からの操作入力部３０１による各種の操作入力を受け付けることができる。コンテンツ関連情報再生装置３０（３０−１、３０−２、・・・、３０−ｎ）は、コンテンツ再生装置１０でのコンテンツの再生状況に基づくコンテンツ関連情報の再生だけでなく、視聴者からの操作入力に基づいてそれぞれコンテンツ関連情報の再生が可能である。
【００５５】
例えば、コンテンツ再生装置１０が城の外観の映像を再生している場合において、コンテンツ関連情報再生装置３０（３０−１、３０−２、・・・、３０−ｎ）は、視聴者による操作入力に基づいて、それぞれの視聴者が所望するコンテンツ（例えば、城の内部の映像）を再生させること等も可能である。
【００５６】
制御部３０２は、コンテンツ関連情報再生装置３０（３０−１、３０−２、・・・、３０−ｎ）における各種の処理を制御する。制御部３０２は、例えば、ＣＰＵを含んで構成される。
制御部３０２は、例えば、操作入力部３０１から取得した操作信号が示すデータを、後述する通信部３０４を介して、コンテンツ関連情報配信装置２０の通信部２０６へ送信する。
また、制御部３０２は、例えば、コンテンツ関連情報配信装置２０の通信部２０６から通信部３０４を介して取得したコンテンツ関連情報を示すデータを、出力部３０３に出力させる。すなわち、制御部３０２は、例えば、コンテンツ関連情報に基づく画像を、出力部３０３を構成するディスプレイに表示させたり、コンテンツ関連情報に基づく音声を、出力部３０３を構成するスピーカーによって再生させたりする。
【００５７】
出力部３０３は、制御部３０２から取得したコンテンツ関連情報を示すテキストデータ及び画像データを表示したり、コンテンツ関連情報を示す音声データを再生する。
出力部３０３は、ディスプレイ、例えば、液晶ディスプレイまたは有機ＥＬディスプレイ等を含んで構成される。また、出力部３０３は、音響信号に基づく音を再生する拡声器、例えば、各種のスピーカー、またはヘッドフォン等を含んで構成される。
【００５８】
通信部３０４は、コンテンツ関連情報配信装置２０の通信部２０６から送信された、コンテンツ関連情報を示すデータ（例えば、テキストデータ、画像データ、または音声データ）を受信する。
通信部３０４は、例えば、コンテンツ関連情報配信装置２０から送信されたコンテンツ関連情報を示すデータ（例えば、テキストデータ、画像データ、または音声データ）を受信するために、Ｗｉ−Ｆｉ（登録商標）接続によって無線ＬＡＮルーターを介して通信接続するための通信インターフェースである。
通信部３０４は、受信したコンテンツ関連情報を示すデータを制御部３０２へ出力する。
【００５９】
（タイミング信号の送信例）
次に、タイミング信号の送信について例を挙げて説明する。
図３は、本発明の実施形態に係るコンテンツ再生装置１０が送信するタイミング信号の一例を示す概略図である。
図３に示す概略図は、コンテンツ再生装置１０が再生する映像コンテンツに含まれる映像の遷移に応じて送信されるタイミング信号の一例を示している。図３の左側の「ＯＰＥＮＩＮＧ」の映像から、図３の右側へ向かって「ＳＣＥＮＥ１」、「ＳＣＥＮＥ２」、「ＳＣＥＮＥ３」、「ＳＣＥＮＥ４」、「ＣＲＥＤＩＴ」の順番で、映像コンテンツに含まれる映像が流れる（再生される）ことを示す。
【００６０】
図３の「ＯＰＥＮＩＮＧ」の映像の下には矢印が引かれ、その先に「００１０１」及び「００１０２」と記載されている。これは、映像コンテンツの中の「ＯＰＥＮＩＮＧ」の映像の再生が開始されると、まず「００１０１」という数字を示すタイミング信号が、コンテンツ再生装置１０のタイミング信号送信部１０７からコンテンツ関連情報配信装置２０のタイミング信号受信部２０２へ送信される。そして、「００１０１」を示すタイミング信号が送信された後、「ＯＰＥＮＩＮＧ」の再生中であって、「００１０１」を示すタイミング信号が送信されてから予め決められた時間が経過した後に、「００１０２」を示すタイミング信号がコンテンツ再生装置１０のタイミング信号送信部１０７からコンテンツ関連情報配信装置２０のタイミング信号受信部２０２へ送信されることを表す。
【００６１】
タイミング信号受信部２０２は、「００１０１」という数字を示すタイミング信号を受信すると、制御部２０３へ出力する。制御部２０３は、「００１０１」を検索キーとして、コンテンツ関連情報記憶部２０４に記憶されたコンテンツ関連情報データベースを検索する。
【００６２】
なお、上述したように、ＶＲコンテンツを構成するデータそのものに、予めタイミング信号を示すデータが埋め込まれているような構成であってもよい。例えば、Ｅｌｅｃｔｒｏｎｉｃ  Ｗａｔｅｒｍａｒｋｉｎｇ（電子透かし）等の技術を用いることによって、ＶＲコンテンツの映像の画質にはほとんど影響を与えることなく、タイミング信号を示すデータを、ＶＲコンテンツのデータの中に埋め込むことができる。
【００６３】
その場合には、例えば、ＶＲコンテンツに含まれる画像がスクロールして表示されることによって、画像の特定の部分（ＶＲコンテンツに含まれる映像の中の特定の部分）が表示画面の中央に位置したタイミングで、コンテンツ再生制御部１０２がＶＲコンテンツのデータに埋め込まれたタイミング信号を検知する。そして、コンテンツ再生制御部１０２は、検知したタイミング信号を、タイミング信号制御部１０５へ出力する。
そして、タイミング信号制御部１０５は、取得したタイミング信号を、タイミング信号送信部１０７を介して、コンテンツ関連情報配信装置２０のタイミング信号受信部２０２へ送信する。
【００６４】
（コンテンツ関連情報データベースの構成例）
以下に、コンテンツ関連情報データベースの例を示す。
図４は、本発明の実施形態に係るコンテンツ関連情報記憶部２０４が記憶するコンテンツ関連情報データベースの一例を示す概略図である。
図示するように、コンテンツ関連情報データベースは、例えば、「タイミング信号」と、視聴者の属性情報（例えば、「使用言語」、「年齢区分」）の各項目と、「コンテンツ関連情報」と、コンテンツ関連情報の出力方法に関する情報（例えば、表示する際の「文字サイズ」等）の各項目と、が対応付けられた２次元の表形式のテーブルである。
なお、コンテンツ関連情報データベースを構成するテーブルの数は、１つでもよいし、複数でもよい。例えば、コンテンツ関連情報データベースは、「タイミング信号」と視聴者の属性情報の各項目とを対応付けて管理するテーブルと、「タイミング信号」とコンテンツ関連情報の出力方法に関する情報の各項目とを対応付けて管理するテーブルと、の２つのテーブルによって構成されるようにしてもよい。その場合、「タイミング信号」を結合キーにすることによって、上記２つのテーブルに含まれるそれぞれの項目間の対応付けが可能である。
【００６５】
なお、値が「標準」である「文字サイズ」の項目に対応付けられた「コンテンツ関連情報」は、コンテンツ関連情報再生装置３０（３０−１、３０−２、・・・、３０−ｎ）の出力部３０３において、標準の文字サイズで出力される。また、値が「大」である「文字サイズ」の項目に対応付けられた「コンテンツ関連情報」は、コンテンツ関連情報再生装置３０（３０−１、３０−２、・・・、３０−ｎ）の出力部３０３において、標準の文字サイズよりも大きい文字サイズで出力される。これにより、実施形態に係るコンテンツ再生システムは、例えば、子供や年配者によって属性情報が入力されたコンテンツ関連情報再生装置３０（３０−１、３０−２、・・・、３０−ｎ）の出力部３０３に対しては、標準の文字サイズよりも見やすい大きい文字サイズで出力するようにすることができる。
【００６６】
制御部２０３は、タイミング信号である「００１０１」を検索キーとして、コンテンツ関連情報データベースを検索すると、対応する視聴者の属性情報（例えば、「使用言語」、「年齢区分」）と、「コンテンツ関連情報」と、コンテンツ関連情報の出力方法に関する情報（例えば、表示する際の「文字サイズ」等）を取得する。
制御部２０３は、取得した視聴者の属性情報に該当する属性情報が入力されたコンテンツ関連情報再生装置３０（３０−１、３０−２、・・・、３０−ｎ）に対して、取得したコンテンツ関連情報の出力方法によって、取得したコンテンツ関連情報を、通信部２０６を介して送信する。
【００６７】
（パーソナル情報データベースの構成例）
以下に、パーソナル情報データベースの例を示す。
図５は、本発明の実施形態に係るパーソナル情報記憶部２０５が記憶するパーソナル情報データベースの一例を示す概略図である。
図示するように、パーソナル情報データベースは、「端末ＩＤ」と、視聴者の属性情報（例えば、「使用言語」、「年齢区分」）の各項目と、が対応付けられた２次元の表形式のテーブルである。
【００６８】
「端末ＩＤ」とは、コンテンツ関連情報再生装置３０（３０−１、３０−２、・・・、３０−ｎ）を一意に特定することができるように、各コンテンツ関連情報再生装置３０（３０−１、３０−２、・・・、３０−ｎ）に割り当てられる識別子である。例えば、コンテンツ関連情報再生装置３０−１に端末ＩＤ「ＣＬ００１」、コンテンツ関連情報再生装置３０−２に端末ＩＤ「ＣＬ００２」、及びコンテンツ関連情報再生装置３０−３に端末ＩＤ「ＣＬ００３」が割り当てられる。
【００６９】
視聴者の属性情報（例えば、「使用言語」、「年齢区分」）の各項目には、対応する「端末ＩＤ」が割り当てられたコンテンツ関連情報再生装置３０（３０−１、３０−２、・・・、３０−ｎ）の操作入力部３０１から視聴者によって入力された情報が格納されている。
【００７０】
制御部２０３は、タイミング信号を取得した場合、以上説明したコンテンツ関連情報データベース及びパーソナル情報データベースを参照することによって、各コンテンツ関連情報再生装置３０（３０−１、３０−２、・・・、３０−ｎ）へ、それぞれどのコンテンツ関連情報を示すデータを送信するかを決定することができる。
例えば、制御部２０３は、タイミング信号受信部２０２を介して、コンテンツ再生装置１０からタイミング信号「００１０１」を取得する。制御部２０３は、取得したタイミング信号「００１０１」を検索キーとして、コンテンツ関連情報データベースを検索する。制御部２０３は、タイミング信号「００１０１」に対応付けられた視聴者の属性情報（例えば、「使用言語」、「年齢区分」）と、「コンテンツ関連情報」と、コンテンツ関連情報の出力方法に関する情報（例えば、表示する際の「文字サイズ」等）を取得する。
【００７１】
すなわち、ここで制御部２０３が取得するデータは、例えば図４に示すテーブルの２行目から５行目の範囲のデータである、「日本語、大人、・・・、本日皆さんにご紹介しますのは・・・、・・・、標準、・・・」、「日本語、子供、・・・、こんにちは！今日のおはなしは・・・、・・・、大、・・・」、「日本語、年配者、・・・、本日皆さんにご紹介しますのは・・・、・・・、大、・・・」、及び「英語、大人、・・・、Ｗｅｌｃｏｍｅ  ｔｏ  ｏｕｒ  ｖｉｒｔｕａｌ  ｒｅａｌｉｔｙ・・・、標準、・・・」である。
【００７２】
次に、制御部２０３は、取得した視聴者の属性情報（例えば、「使用言語」、「年齢区分」）を検索キーとして、パーソナル情報データベースを検索する。制御部２０３は、取得した視聴者の属性情報に対応付けられた「端末ＩＤ」を取得する。
以上により、制御部２０３は、「端末ＩＤ」と、「コンテンツ関連情報」と、コンテンツ関連情報の出力方法に関する情報（例えば、表示する際の「文字サイズ」等）と、を紐づけることができる。制御部２０３は、各「端末ＩＤ」が割り当てられた各コンテンツ関連情報再生装置３０（３０−１、３０−２、・・・、３０−ｎ）に対し、それぞれの「端末ＩＤ」に紐づけた「コンテンツ関連情報」及びコンテンツ関連情報の出力方法に関する情報を示すデータを、通信部２０６を介して送信する。
【００７３】
そして、各コンテンツ関連情報再生装置３０（３０−１、３０−２、・・・、３０−ｎ）は、通信部３０４を介して取得した「コンテンツ関連情報」及びコンテンツ関連情報の出力方法に関する情報を示すデータに従って、自らのコンテンツ関連情報再生装置３０（３０−１、３０−２、・・・、３０−ｎ）の出力部３０３によって出力する。
【００７４】
再び図３に戻って説明する。
「ＯＰＥＮＩＮＧ」の映像の再生が開始された後、「００１０１」という数字を示すタイミング信号に続いて、「００１０２」という数字を示すタイミング信号が、コンテンツ再生装置１０のタイミング信号送信部１０７からコンテンツ関連情報配信装置２０のタイミング信号受信部２０２へ送信される。
タイミング信号受信部２０２は、「００１０２」という数字を示すタイミング信号を受信すると、制御部２０３へ出力する。制御部２０３は、「００１０２」を検索キーとして、コンテンツ関連情報記憶部２０４に記憶されたコンテンツ関連情報データベースを検索する。
以降、制御部２０３が上述したタイミング信号「００１０１」を取得した場合と同様の処理が行われるため、説明を省略する。
【００７５】
「ＯＰＥＮＩＮＧ」の映像の再生が終了すると、次に「ＳＣＥＮＥ１」の映像が再生される。図３に図示するように、「ＳＣＥＮＥ１」の映像の再生が開始されると、「１０１０１」という数字を示すタイミング信号が、コンテンツ再生装置１０のタイミング信号送信部１０７からコンテンツ関連情報配信装置２０のタイミング信号受信部２０２へ送信される。
タイミング信号受信部２０２は、「１０１０１」という数字を示すタイミング信号を受信すると、制御部２０３へ出力する。制御部２０３は、「１０１０１」を検索キーとして、コンテンツ関連情報記憶部２０４に記憶されたコンテンツ関連情報データベースを検索する。
以降、制御部２０３が上述したタイミング信号「００１０１」を取得した場合と同様の処理が行われるため、説明を省略する。
【００７６】
図３の「ＳＣＥＮＥ１」の映像の下には矢印が引かれ、その先に「１０１０１」及び「１０２０１」と記載されている。そして、「１０２０１」を指す矢印の右側には「ＮＡＶＩ」と記載されている。これは、映像コンテンツの中の「ＳＣＥＮＥ１」の映像が再生されている場合において、かつ、ナビゲータ（コンテンツ再生装置１０を操作するユーザ）によって「１０１０２」のタイミング信号に対応するコンテンツ関連情報をコンテンツ関連情報再生装置３０（３０−１、３０−２、・・・、３０−ｎ）に再生させることを示す操作入力がなされた場合に、「１０２０１」というタイミング信号が、コンテンツ再生装置１０のタイミング信号送信部１０７からコンテンツ関連情報配信装置２０のタイミング信号受信部２０２へ送信されることを示す。
【００７７】
このように、実施形態に係るコンテンツ再生装置１０は、再生する映像コンテンツの再生箇所に基づいてタイミング信号を送信するだけでなく、ナビゲータによる操作入力に基づいてタイミング信号を送信することもできる。
図３の「ＳＣＥＮＥ２」以降についても、コンテンツ再生システム１は、上記と同様の処理を行うため、説明は省略する。
【００７８】
（コンテンツ再生システムの動作）
次に、コンテンツ再生システム１の動作の流れについて説明する。
図６は、本発明の実施形態に係るコンテンツ再生システム１の動作の一例を示すフローチャートである。
本フローチャートは、コンテンツ関連情報再生装置３０（３０−１、３０−２、・・・、３０−ｎ）へ、各視聴者により属性情報（例えば、「使用言語」、「年齢区分」）が入力された際に開始する。
【００７９】
（ステップＳ１０１）まず、各コンテンツ関連情報再生装置３０（３０−１、３０−２、・・・、３０−ｎ）の操作入力部３０１により、それぞれの視聴者の属性情報（例えば、「使用言語」、「年齢区分」）が入力される。入力された視聴者の属性情報を示すデータと、コンテンツ関連情報再生装置３０（３０−１、３０−２、・・・、３０−ｎ）を一意に特定する端末ＩＤとが、制御部３０２及び通信部３０４を介して、コンテンツ関連情報配信装置２０の通信部２０６へ送信される。コンテンツ関連情報配信装置２０の制御部２０３は、通信部２０６が取得した視聴者の属性情報を示すデータと端末ＩＤとを、パーソナル情報記憶部２０５に記憶されたパーソナル情報データベースに記憶させる。その後、ステップＳ１０２へ進む。
【００８０】
（ステップＳ１０２）操作入力部１０１から入力された操作入力を示す操作信号を、コンテンツ再生制御部１０２が取得する。コンテンツ再生制御部１０２は取得した操作信号に基づいて、再生する映像コンテンツをコンテンツ記憶部１０３から取得する。コンテンツ再生制御部１０２は、取得した映像コンテンツを、コンテンツ再生部１０４に再生させる。その後、ステップＳ１０３へ進む。
【００８１】
（ステップＳ１０３）タイミング信号制御部１０５は、操作入力部１０１、コンテンツ再生制御部１０２から取得する情報に基づいて、タイミング信号を送信する条件に合致したか否かを判定する。タイミング信号を送信する条件に合致した場合には、ステップＳ１０４へ進む。そうでない場合は、ステップＳ１０９へ進む。
【００８２】
（ステップＳ１０４）タイミング信号制御部１０５は、合致した条件に対応するタイミング信号を、タイミング信号記憶部１０６に予め記憶されているタイミング信号データベースから取得する。その後、ステップＳ１０５へ進む。
【００８３】
（ステップＳ１０５）タイミング信号制御部１０５は、タイミング信号送信部１０７を介して、コンテンツ関連情報配信装置２０のタイミング信号受信部２０２へタイミング信号を送信する。その後、ステップＳ１０６へ進む。
【００８４】
（ステップＳ１０６）コンテンツ関連情報配信装置２０の制御部２０３は、コンテンツ再生装置１０のタイミング信号送信部１０７から送信されたタイミング信号を、タイミング信号受信部２０２を介して取得する。制御部２０３は、取得したタイミング信号に対応付けられた、視聴者の属性情報（例えば、「使用言語」、「年齢区分」）、コンテンツ関連情報を示すデータ、及びコンテンツ関連情報の出力方法を示すデータを、コンテンツ関連情報記憶部２０４に予め記憶されているコンテンツ関連情報データベースから取得する。その後、ステップＳ１０７へ進む。
【００８５】
（ステップＳ１０７）コンテンツ関連情報配信装置２０の制御部２０３は、ステップＳ１０６で取得した各視聴者の属性情報（例えば、「使用言語」、「年齢区分」）に対応付けられた「端末ＩＤ」を、パーソナル情報記憶部２０５に記憶されているパーソナル情報データベースから取得する。その後、ステップＳ１０８へ進む。
【００８６】
（ステップＳ１０８）コンテンツ関連情報配信装置２０の制御部２０３は、取得した各「端末ＩＤ」が割り当てられた各コンテンツ関連情報再生装置３０（３０−１、３０−２、・・・、３０−ｎ）に対し、それぞれの「端末ＩＤ」に紐づけた「コンテンツ関連情報」及びコンテンツ関連情報の出力方法に関する情報を示すデータを、通信部２０６を介して送信する。
コンテンツ関連情報再生装置３０（３０−１、３０−２、・・・、３０−ｎ）の通信部３０４は、コンテンツ関連情報配信装置２０の通信部２０６から送信されたコンテンツ関連情報を示すデータを取得する。通信部３０４は、取得したデータを制御部３０２へ出力する。制御部３０２は、取得したコンテンツ関連情報を示すデータに基づくコンテンツ関連情報を出力する。その後、ステップＳ１０９へ進む。
【００８７】
（ステップＳ１０９）映像コンテンツの再生が終了していない場合は、ステップＳ１０３へ戻る。映像コンテンツの再生が終了した場合は、以上で、本フローチャートの処理を終了する。
【００８８】
以上、説明したように、本発明の実施形態に係るコンテンツ再生システム１において、コンテンツ再生装置１０は、各種の条件が満たされたタイミングで、簡単なタイミング信号（合図信号）をコンテンツ関連情報配信装置２０へ送信する。
コンテンツ関連情報再生装置３０（３０−１、３０−２、・・・、３０−ｎ）は、視聴者の属性情報を取得し、コンテンツ関連情報配信装置２０へ送信する。また、コンテンツ関連情報再生装置３０（３０−１、３０−２、・・・、３０−ｎ）は、視聴者による操作入力に基づいて、簡単な信号（タイミング信号に相当する信号）をコンテンツ関連情報配信装置２０へ送信する。
【００８９】
そして、コンテンツ関連情報配信装置２０は、取得したタイミング信号、及び属性情報に基づいて、各コンテンツ関連情報再生装置３０（３０−１、３０−２、・・・、３０−ｎ）へ送信するコンテンツ関連情報を決定し、送信する。
以上により、本発明の実施形態に係るコンテンツ再生システム１は、ＶＲコンテンツを視聴する各視聴者に対し、パーソナライズされたコンテンツ関連情報、及びパーソナライズされた空間を、様々なタイミングで提供することができる。
【００９０】
以上、この発明の実施形態について詳しく説明してきたが、具体的な構成は上述のものに限られることはなく、この発明の要旨を逸脱しない範囲内において様々な設計変更等をすることが可能である。
【００９１】
なお、上述した実施形態におけるコンテンツ再生装置１０、コンテンツ関連情報配信装置２０、及びコンテンツ関連情報再生装置３０（３０−１、３０−２、・・・、３０−ｎ）の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００９２】
なお、ここでいう「コンピュータシステム」とは、コンテンツ再生装置１０、コンテンツ関連情報配信装置２０、及びコンテンツ関連情報再生装置３０（３０−１、３０−２、・・・、３０−ｎ）に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９３】
なお、上述した実施形態におけるコンテンツ再生装置１０は、コンテンツ記憶部１０３に記憶されたコンテンツを再生する構成であるが、これに限られない。例えば、コンテンツが、コンテンツ再生システム１の外部の装置に記憶されており、コンテンツ再生システム１が、通信ネットワークを介して、コンテンツ再生システム１の外部の装置からコンテンツを取得する構成であっても構わない。
【００９４】
なお、上述した実施形態におけるコンテンツ関連情報配信装置２０は、コンテンツ関連情報記憶部２０４に記憶されたコンテンツ関連情報を配信する構成であるが、これに限られない。例えば、コンテンツ関連情報が、コンテンツ再生システム１の外部の装置に記憶されており、コンテンツ再生システム１が、通信ネットワークを介して、コンテンツ再生システム１の外部の装置からコンテンツ関連情報を取得する構成であっても構わない。
【００９５】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００９６】
また、上述した実施形態におけるコンテンツ再生装置１０、コンテンツ関連情報配信装置２０、及びコンテンツ関連情報再生装置３０（３０−１、３０−２、・・・、３０−ｎ）を、ＬＳＩ（Ｌａｒｇｅ  Ｓｃａｌｅ  Ｉｎｔｅｇｒａｔｉｏｎ）等の集積回路として実現してもよい。コンテンツ再生装置１０、コンテンツ関連情報配信装置２０、及びコンテンツ関連情報再生装置３０（３０−１、３０−２、・・・、３０−ｎ）の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００９７】
１・・・コンテンツ再生システム、１０・・・コンテンツ再生装置、２０・・・コンテンツ関連情報配信装置、３０（３０−１、３０−２、３０−３、・・・、３０−ｎ）・・・コンテンツ関連情報再生装置、１０１・・・操作入力部、１０２・・・コンテンツ再生制御部、１０３・・・コンテンツ記憶部、１０４・・・コンテンツ再生部、１０５・・・タイミング信号制御部、１０６・・・タイミング信号記憶部、１０７・・・タイミング信号送信部、２０１・・・操作入力部、２０２・・・タイミング信号受信部、２０３・・・制御部、２０４・・・コンテンツ関連情報記憶部、２０５・・・パーソナル情報記憶部、２０６・・・通信部、３０１・・・操作入力部、３０２・・・制御部、３０３・・・出力部、３０４・・・通信部
【図１】
2017005287.tif 000003
【図２】
2017005287.tif 000004
【図３】
2017005287.tif 000005
【図４】
2017005287.tif 000006
【図５】
2017005287.tif 000007
【図６】
2017005287.tif 000008